(57)【要約】【課題】見積書等の書類をファイルに簡単にかつ迅速に支持することができるようにすると共に、作り易くかつ経済的に得ることができ、しかも収納ケース等への収納に便利な書類ファイルを提供する。【解決手段】表表紙（２）、背表紙（４）及び裏表紙（３）を有するファイル本体（１）を備えており、このファイル本体（１）の裏表紙（３）に連接するように背表表紙（４）及び表表紙（３）の部分に一部連続する部分（８）を残して舌片（７）を設け、この一部連続する部分を切断し舌片を介して上記表紙間に収納される見積書等の書類（９）をクリップ等の止め具（１１）で保定するようにした。【選択図】        図４
2005022090.tif 000002
【特許請求の範囲】
【請求項１】
表表紙、背表紙及び裏表紙を有するファイル本体を備え、このファイル本体の裏表紙に連接するように背表紙または背表紙と表表紙の部分に一部連続する部分を残した状態で切れ目を入れて舌片を形成し、その一部連続する部分を切断した後にこの舌片を介して上記表紙間に収納される書類をクリップ等の止め具で保持し得るようにした書類ファイル。
【請求項２】
表表紙及び裏表紙を有するファイル本体を備え、このファイル本体の裏表紙に連接するように表表紙の部分に一部連続する部分を残した状態で切れ目を入れて舌片を形成し、その一部連続する部分を切断した後にこの舌片を介して上記表紙間に収納される書類をクリップ等の止め具で保持し得るようにした書類ファイル。
【請求項３】
切れ目全体を連続する状態に形成した請求項１または２に記載の書類ファイル。
【請求項４】
舌片の少なくも表面又は／及び裏面に補強層を設けた請求項１ないし３のいずれかに記載の書類ファイル。
【請求項５】
略矩形状に形成した舌片を二つ設け、この舌片を表表紙または背表紙が連接する部分のほぼ対称の位置に形成するようにした請求項１ないし４のいずれかに記載の書類ファイル。
【発明の詳細な説明】
【０００１】
【発明の属する技術分野】
本発明は、見積書、計算書、設計図、事務書類、カルテその他の各種の書類を簡便にファイルすることができ、使い易く、収納ケース等にも収容可能な書類ファイルに関する。
【０００２】
【従来の技術】
顧客から見積書の依頼があった場合は、通常見積書をファイルに収納保持して渡すようにしている。ファイルに見積書を挿入し保持する方法としては、ファイルにとじ具を用いて綴じ込むものと、ファイルにポケットを設けこれに見積書を挿入して保持するものがある。
【０００３】
この方法は、書類をファイルに保持する際に一般的に用いられている方法であって、例えば特許文献１に記載されているようなものである。
【０００４】
【特許文献１】
特開平８−１４２５６３号公報（２頁、図１及び図４）
【０００５】
【発明が解決しようとする課題】
上記特許文献１に記載のものは、書類をファイルの台紙に支持するのにファイル具（とじ具）を設けており、このファイル具を用いるために書類にファイル具用の孔を形成しなければならず、その手間がかかると共に用紙を傷めることがあり、しかもファイル具によって綴じなければならないから面倒である。また、ファイルの台紙にポケットを設けた場合は、別途ポケットを設ける必要があり不経済であり、その上書類をポケットに収納した際に書類の一部がポケットによって隠れてしまい見積書等の一部が見えなくなるから、表表紙を開いた際に一瞥することができない。
【０００６】
本発明は、従来のようなとじ具やポケットを用いることなく、見積書等の書類をファイルに簡単にかつ迅速に支持することができるようにすると共に、作り易くかつ経済的に得ることができ、しかも収納ケース等への収納にも便利な書類ファイルを提供しようとするものである。
【０００７】
【課題を解決するための手段】
本発明は、表表紙及び裏表紙あるいは表表紙、背表紙及び裏表紙を有するファイル本体を備え、このファイル本体の裏表紙に連接するように表表紙の部分、あるいは裏表紙に連接する背表紙及び裏表紙の部分に一部連続する部分を残して舌片を設け、この一部連続する部分を切断しその舌片を介して上記表紙間に収納される書類をクリップ等の止め具で保定できるようにしたものである。なお、上記舌片は、一部連続する部分を残すことなく全体に切り目を形成することがある。
【０００８】
また、舌片の表面または裏面あるいはその両面に補強層を設け、舌片部分の保護、補強をしている。
【０００９】
更に、略矩形状に形成した舌片を二つ設け、この舌片をほぼ対称の位置に配して書類をファイルに一層安定に、かつ確実に支持するようにしている。
【００１０】
【発明の実施の形態】
本発明は、各種の書類を収容保持するファイルに適用できるものであるが、ここでは見積書を収容保持するファイルの場合を例として説明する。
【００１１】
ファイル本体（１）は、表表紙（２）、裏表紙（３）及び背表紙（４）を有し、これらの表紙間に折り目（５）が形成され、これらの折り目（５）で折り曲げ可能になっている。この場合、背表紙（４）には、折り目（５）が形成されていて背表紙が二つになっているが、その一方を背表紙（４）とし、他方を表表紙（２）として用いるようにしもよい。
なお、ファイル本体は、実施例ではやや厚めの一般の紙材を用いて形成しているが、例えば再生紙等の紙材を用いたり、その他、ポリプロピレン、ポリエチレン、ビニル等のプラスチック材を用いたりすることができる．
【００１２】
裏表紙（３）に連接する背表紙（４）の部分（あるいは背表紙及び表表紙（２）の部分）には、その裏表紙（３）と背表紙（４）の連接部（折り目）を残し背表紙（４）に（あるいは表表紙（２）から背表紙（４）に亘って）外形がほぼ矩形状を呈する略コの字状の切り目（６）が形成され舌片（７）が設けられている。
この場合、切り目（６）は、一部連続する部分（８）を残して切断されており、その残存個所は１箇所あるいは複数個所（実施例では２箇所）に適宜の間隔をもって設けるようにしている。なお、実施例では舌片を２つ設けこれらの舌片が表表紙（２）と背表紙（４）の連接部分にほぼ対称の位置となるように配置されているが、舌片（７）はその他その連接部分のほぼ中央に１つ設けたり、あるいは３つ等複数設け、これをほぼ等間隔に配置したりすることができ、また、舌片（７）は矩形以外にも例えばほぼ半円形、正方形、台形、その他の多角形等適宜の形状にすることができる。
【００１３】
この書類ファイルを用い１枚あるいは数枚の見積書を収容保持する場合について説明する。
ファイルを開き、見積書（９）を裏表紙（３）の上に置く。ここで、あるいは予め舌片を指等で押したりして上記切り目の一部連続する部分（８）を切断し、上記舌片（７）起立させこれを折り目（５）に沿って裏表紙側に折り返す。その折り返した舌片（７）をホッチキス綴り具（１０）やゼムクリップ等の止め具（１１）で止めて見積書を保持する（図４、５参照）。この際、折り返した舌片（７）によって開口部（１２）が形成されるので、この開口部より止め具を挿入することができる。
なお、この場合、見積書を裏表紙（３）の上に置き、その表表紙を閉じ、その後に舌片（７）を止め具（１１）で止めて見積書を保持するようにしてもよい。
【００１４】
上記切り目（６）に一部連続する部分（８）が形成されていない場合は、そのまま舌片（７）を用いこれを止め具（１１）で止めて書類を保持するようにする。
【００１５】
見積書に図面等が添付されていて書類が厚い場合は、図６及び図７に示すように、舌片（７）を見積書等の側面に当てこれをクリップ（１３）等の止め具（１１）で保持するようにする。
【００１６】
なお、上記ファイル本体（１）には背表紙（４）が設けられているが、この背表紙は省略することができ、その際は、背表紙に連接する表表紙の部分に舌片（７）を設けるようにする。
【００１７】
ファイル本体（１）を紙材で形成した場合は、図８に示すように舌片（７）の表面（裏面あるいは表裏両面でもよい）一部裏表紙に亘ってプラスチックフイルム等で形成した補強片やテフロン（登録商標）、シリコンその他のプラスチック溶剤を塗布して補強層（１４）を設けることができる。
【００１８】
なお、ファイル本体（１）の表面には、表題（１５）や見積先名記入欄（１６）、見積者名記入欄（１７）を表示することができると共に、見出し片（１８）を設けることができる。
【００１９】
この書類ファイルは、上記舌片の一部連続する部分（８）を切断しない状態で用いることができ、またその一部連続する部分（８）を切断し舌片（７）で書類を保持した後に収納ケースや箱、キャビネットに収容して用いたりすることができる。
【発明の効果】
本発明は、上記のように背表紙、あるいは背表紙と表表紙に舌片を設けているので、この舌片の切り目中の一部連続している部分を切り離し、あるいは一部連続している部分有しない場合はそのままで舌片を介してクリップ等の止め具を用いて簡便かつ迅速に書類を保持することができる。また、上記切り目中の一部連続している部分を切り離さない状態のままで用い書類ファイルとしても使用することができる。更に、舌片は表表紙や背表紙の裏表紙との連接部分を切り欠くことによって形成される上に、従来のようなとじ具を必要としないから、容易かつ経済的に作ることができ、しかも使い易い。また、舌片の表面や裏面あるいはその両面に補強層を設けているので、止め具の着脱がし易いと共に舌片の面を保護、補強することができる．更に、舌片を二つ設けこれを表表紙の連接部においてほぼ対称の位置に形成しているので、書類を一層安定かつ確実に保持することができる。
【図面の簡単な説明】
【図１】本発明の実施例を示す書類ファイルの平面図である。
【図２】書類ファイルの裏面図である。
【図３】表表紙、背表紙及び裏表紙の連接部分を示す部分平面図である。
【図４】見積書を保持した状態を示す一部切り欠いた平面図である。
【図５】書類を舌片で保持する状態を示す部分拡大平面図である。
【図６】厚みのある書類を舌片で保持する場合を示す拡大斜面図である。
【図７】書類を舌片を介しクリップで止める場合を示す部分拡大斜面図である。
【図８】舌片部の他の例を示す拡大断面図である。
【符号の説明】
１  ファイル本体    ２  表表紙    ３  裏表紙    ４  背表紙
６  切り目    ７  舌片    １１  止め具    １４  補強層
【図１】
2005022090.tif 000003
【図２】
2005022090.tif 000004
【図３】
2005022090.tif 000005
【図４】
2005022090.tif 000006
【図５】
2005022090.tif 000007
【図６】
2005022090.tif 000008
【図７】
2005022090.tif 000009
【図８】
2005022090.tif 000010